(57)【要約】【課題】光ディスクがロードされてからデータを再生するまでの時間を短縮する。【解決手段】制御部は、光ディスクがロード（ステップＳ１）された後、光ピックアップにデータの読み出しを開始させる（ステップＳ５）。制御パラメータの調整に要する時間以上の再生時間に相当する容量の再生データがバッファに書き込まれた後、制御部は、光ピックアップにデータの読み出しを中断させ（ステップＳ８）、ＤＳＰに制御パラメータを調整させる（ステップＳ９）。制御部は、制御パラメータの調整後、読み出しを中断した位置から、光ピックアップにデータの読み出しを再開させる（ステップＳ１１）。【選択図】図３
2011008835.tif 000002
【特許請求の範囲】
【請求項１】
ロードされたディスクに記録されたデータを読み取るデータ読み取り部と、
前記データ読み取り部によるデータの読み取り動作の制御に用いられる制御パラメータを調整する調整部と、
前記データ読み取り部によって読み取られたデータに基づく再生データが再生順に記憶されるメモリバッファと、
前記メモリバッファに記憶された再生データを再生する再生部と、
前記データ読み取り部、前記調整部、前記メモリバッファ及び前記再生部を制御する制御部と、
を備え、
前記制御部は、
前記ディスクがロードされると、
前記データ読み取り部にデータの読み取りを開始させる第１の処理と、
前記調整部による調整に要する時間以上の再生時間に相当する容量の再生データが前記メモリバッファに書き込まれた後、前記データ読み取り部にデータの読み取りを中断させ、前記調整部に制御パラメータを調整させる第２の処理と、
前記制御パラメータの調整後に、前記データ読み取り部に、読み取りを中断した位置から、データの読み取りを再開させる第３の処理と、
を順番に実行するディスク再生装置。
【請求項２】
予め求められた前記制御パラメータの標準値を記憶する記憶部と、
前記第１の処理に先だって、前記記憶部により記憶された前記標準値を設定した状態での前記データ読み取り部によるデータの読み取りの成否を判定する判定部と、
をさらに備え、
前記制御部は、
前記判定部による判定が肯定された場合に、前記第１の処理と、前記第２の処理と、前記第３の処理と、を順番に実行し、
前記判定部による判定が否定された場合に、前記データ読み取り部にデータの読み取りを開始させる前に、前記調整部により制御パラメータの調整を行わせる、
ことを特徴とする請求項１に記載のディスク再生装置。
【請求項３】
前記制御部は、
前記第２の処理を終了してから、前記第３の処理を実行する前に、
前記データ読み取り部により、読み取りを中断した前記ディスク上の位置をサーチさせる第４の処理を実行し、
前記再生時間を、
前記第４の処理に要する時間を含む時間とする、
ことを特徴とする請求項１又は２に記載のディスク再生装置。
【請求項４】
前記メモリバッファに書き込まれる再生データの誤りを検出する誤り検出部と、
前記誤り検出部により誤りが検出されると、その誤りが検出された再生データの前記メモリバッファへの再書き込みを行うデータ飛び防止部と、
をさらに備え、
前記再生時間を、
前記誤り検出部によって再生データの誤りが検出されてから、前記メモリバッファに再書き込みがなされた再生データが再生されるまでの時間を含む時間とする、
ことを特徴とする請求項１乃至３のいずれか一項に記載のディスク再生装置。
【請求項５】
前記制御部は、
前記データ読み取り部によって読み出されるデータの圧縮率が高くなるにつれて再生時間を短く設定する、
ことを特徴とする請求項１乃至４のいずれか一項に記載のディスク再生装置。
【請求項６】
ロードされたディスクに記録されたデータを読み取るデータ読み取り部と、
前記データ読み取り部によるデータの読み取り動作の制御に用いられる制御パラメータを調整する調整部と、
前記データ読み取り部によって読み取られたデータに基づく再生データが再生順に記憶されるメモリバッファと、
前記メモリバッファに記憶された再生データを再生する再生部と、
を備えるディスク再生装置の再生開始方法であって、
前記ディスクがロードされると、
前記データ読み取り部にデータの読み取りを開始させる第１の工程と、
前記調整部による調整に要する時間以上の再生時間に相当する容量の再生データが前記メモリバッファに書き込まれた後、前記データ読み取り部にデータの読み取りを中断させ、前記調整部に制御パラメータを調整させる第２の工程と、
前記制御パラメータの調整後に、前記データ読み取り部に、読み取りを中断した位置から、データの読み取りを再開させる第３の工程と、
を含む再生開始方法。
【請求項７】
ロードされたディスクに記録されたデータを読み取るデータ読み取り部と、
前記データ読み取り部によるデータの読み取り動作の制御に用いられる制御パラメータを調整する調整部と、
前記データ読み取り部によって読み取られたデータに基づく再生データが再生順に記憶されるメモリバッファと、
前記メモリバッファに記憶された再生データを再生する再生部と、
を備えるディスク再生装置の制御をコンピュータに実行させるプログラムであって、
前記ディスクがロードされると、
前記データ読み取り部にデータの読み取りを開始させる第１の手順と、
前記調整部による調整に要する時間以上の再生時間に相当する容量の再生データが前記メモリバッファに書き込まれた後、前記データ読み取り部にデータの読み取りを中断させ、前記調整部に制御パラメータを調整させる第２の手順と、
前記制御パラメータの調整後に、前記データ読み取り部に、読み取りを中断した位置から、データの読み取りを再開させる第３の手順と、
をコンピュータに実行させるプログラム。
【発明の詳細な説明】
【技術分野】
【０００１】
本発明は、ディスクに記録されたデータを再生するディスク再生装置、ディスク再生装置の再生開始方法及びコンピュータに実行させるプログラムに関する。
【背景技術】
【０００２】
ディスク再生装置においては、ユーザによって光ディスクが挿入されると、その光ディスクが自動的に若しくはユーザにより再生位置にロードされる。ロードされた光ディスクは、スピンドルにクランプされ、回転可能となる。続いて、光ピックアップ等によるデータの再生性能に影響するフォーカスやトラッキング関連の制御パラメータが自動調整される（例えば、特許文献１参照）。その後、光ディスクに記録された管理情報（ＴＯＣ（Table Of Contents）情報やＴＥＸＴ情報）が読み出され、全ての準備が整った後、光ディスクに記録されたデータの再生が開始される。
【先行技術文献】
【特許文献】
【０００３】
【特許文献１】特開２００１−１２６２７１号公報
【発明の概要】
【発明が解決しようとする課題】
【０００４】
このように、ディスク再生装置では、光ディスクがロードされてから、光ディスクに記録されたデータ（例えば、音楽データ）を再生する前に、データの再生性能に影響する制御パラメータの自動調整を行っている。したがって、光ディスクが挿入されてからデータを再生するまでの時間は、自動調整に要する時間に左右される。調整時間が長くなると、なかなかデータが再生されなくなるので、ユーザは、ストレスを感じるようになる。どのような調整をどの程度実施するかで調整時間の長さは変わるが、現状では、制御パラメータの調整には、少なくとも数秒の時間を要している。
【０００５】
本発明は、上記事情に鑑みてなされたものであり、光ディスクがロードされてからデータを再生するまでの時間を短縮することができるディスク再生装置、再生開始方法及びプログラムを提供することを目的とする。
【課題を解決するための手段】
【０００６】
上記目的を達成するために、本発明の第１の観点に係るディスク再生装置は、
ロードされたディスクに記録されたデータを読み取るデータ読み取り部と、
前記データ読み取り部によるデータの読み取り動作の制御に用いられる制御パラメータを調整する調整部と、
前記データ読み取り部によって読み取られたデータに基づく再生データが再生順に記憶されるメモリバッファと、
前記メモリバッファに記憶された再生データを再生する再生部と、
前記データ読み取り部、前記調整部、前記メモリバッファ及び前記再生部を制御する制御部と、
を備え、
前記制御部は、
前記ディスクがロードされると、
前記データ読み取り部にデータの読み取りを開始させる第１の処理と、
前記調整部による調整に要する時間以上の再生時間に相当する容量の再生データが前記メモリバッファに書き込まれた後、前記データ読み取り部にデータの読み取りを中断させ、前記調整部に制御パラメータを調整させる第２の処理と、
前記制御パラメータの調整後に、前記データ読み取り部に、読み取りを中断した位置から、データの読み取りを再開させる第３の処理と、
を順番に実行する。
【０００７】
この場合、予め求められた前記制御パラメータの標準値を記憶する記憶部と、
前記第１の処理に先だって、前記記憶部により記憶された前記標準値を設定した状態での前記データ読み取り部によるデータの読み取りの成否を判定する判定部と、
をさらに備え、
前記制御部は、
前記判定部による判定が肯定された場合に、前記第１の処理と、前記第２の処理と、前記第３の処理と、を順番に実行し、
前記判定部による判定が否定された場合に、前記データ読み取り部にデータの読み取りを開始させる前に、前記調整部により制御パラメータの調整を行わせる、
こととしてもよい。
【０００８】
また、前記制御部は、
前記第２の処理を終了してから、前記第３の処理を実行する前に、
前記データ読み取り部により、前記ディスクにおける、読み取りを中断した位置をサーチさせる第４の処理を実行し、
前記再生時間を、
前記第４の処理に要する時間を含む時間とする、
こととしてもよい。
【０００９】
また、前記メモリバッファに書き込まれる再生データの誤りを検出する誤り検出部と、
前記誤り検出部により誤りが検出されると、その誤りが検出された再生データの前記メモリバッファへの再書き込みを行うデータ飛び防止部と、
をさらに備え、
前記再生時間を、
前記誤り検出部によって再生データの誤りが検出されてから、前記メモリバッファに再書き込みがなされた再生データが再生されるまでの時間を含む時間とする、
こととしてもよい。
【００１０】
また、前記制御部は、
前記データ読み取り部によって読み出されるデータの圧縮率が高くなるにつれて再生時間を短く設定する、
こととしてもよい。
【００１１】
本発明の第２の観点に係る再生開始方法は、
ロードされたディスクに記録されたデータを読み取るデータ読み取り部と、
前記データ読み取り部によるデータの読み取り動作の制御に用いられる制御パラメータを調整する調整部と、
前記データ読み取り部によって読み取られたデータに基づく再生データが再生順に記憶されるメモリバッファと、
前記メモリバッファに記憶された再生データを再生する再生部と、
を備えるディスク再生装置の再生開始方法であって、
前記ディスクがロードされると、
前記データ読み取り部にデータの読み取りを開始させる第１の工程と、
前記調整部による調整に要する時間以上の再生時間に相当する容量の再生データが前記メモリバッファに書き込まれた後、前記データ読み取り部にデータの読み取りを中断させ、前記調整部に制御パラメータを調整させる第２の工程と、
前記制御パラメータの調整後に、前記データ読み取り部に、読み取りを中断した位置から、データの読み取りを再開させる第３の工程と、
を含む。
【００１２】
本発明の第３の観点に係るプログラムは、
ロードされたディスクに記録されたデータを読み取るデータ読み取り部と、
前記データ読み取り部によるデータの読み取り動作の制御に用いられる制御パラメータを調整する調整部と、
前記データ読み取り部によって読み取られたデータに基づく再生データが再生順に記憶されるメモリバッファと、
前記メモリバッファに記憶された再生データを再生する再生部と、
を備えるディスク再生装置の制御をコンピュータに実行させるプログラムであって、
前記ディスクがロードされると、
前記データ読み取り部にデータの読み取りを開始させる第１の手順と、
前記調整部による調整に要する時間以上の再生時間に相当する容量の再生データが前記メモリバッファに書き込まれた後、前記データ読み取り部にデータの読み取りを中断させ、前記調整部に制御パラメータを調整させる第２の手順と、
前記制御パラメータの調整後に、前記データ読み取り部に、読み取りを中断した位置から、データの読み取りを再開させる第３の手順と、
をコンピュータに実行させる。
【発明の効果】
【００１３】
本発明によれば、光ディスクがロードされてからデータを再生するまでの時間を短縮することができる。
【図面の簡単な説明】
【００１４】
【図１】本発明の一実施形態に係るディスク再生装置の構成を示すブロック図である。
【図２】ＥＳＰ機能を説明するための図である。
【図３】図１のディスク再生装置の動作を示すフローチャートである。
【図４】図４（Ａ）は、図３の動作において、データの読み出しが不可である場合の図１のディスク再生装置の動作タイミングを示すタイミングチャートである。図４（Ｂ）は、図４（Ａ）の場合における光ピックアップの動作タイミングを示すタイミングチャートである。図４（Ｃ）は、データの読み出しが可である場合の図１のディスク再生装置の動作タイミングを示すタイミングチャートである。図４（Ｄ）は、図４（Ｃ）の場合における光ピックアップの動作タイミングを示すタイミングチャートである。図４（Ｅ）は、図４（Ｃ）の場合における制御パラメータの自動調整のタイミングチャートである。
【発明を実施するための形態】
【００１５】
次に、本発明の一実施形態について図面を参照して詳細に説明する。
【００１６】
図１に示すように、本実施形態に係るディスク再生装置１は、光ディスク２に記録されているデータを再生する。まず、ディスク再生装置１の構成要素のうち、データ再生に直接関係する構成要素について説明する。
【００１７】
ディスク再生装置１は、光ピックアップ１０と、ＲＦ（Radio Frequency）回路１１と、信号処理回路１２と、バッファ１３と、再生部１４と、を備える。
【００１８】
光ピックアップ１０は、光ディスク２に記録されたデータの読み取りヘッドである。光ピックアップ１０は、例えば、波長４０５ｎｍの青紫色レーザ光を、対物レンズ（不図示）を介して、光ディスク２の記録面に照射し、その反射光を、対物レンズを介して、受光する。光ピックアップ１０は、反射光の受光強度に応じた電気信号を、ＲＦ回路１１に出力する。
【００１９】
ＲＦ回路１１は、光ピックアップ１０から出力された電気信号に基づいて、ＦＥ（Focus Error）信号、ＴＥ（Tracking Error）信号及びＲＦ信号等を生成する。ＦＥ信号、ＴＥ信号については後述する。ＲＦ信号は、最終的に再生データに変換される信号である。
【００２０】
ＲＦ回路１１は、ＲＦ信号を、信号処理回路１２に出力する。信号処理回路１２は、ＲＦ回路１１から出力されたＲＦ信号をデコードして、デジタルのデータ信号（再生データ）を生成する。生成された再生データは、バッファ１３に出力される。
【００２１】
バッファ１３は、再生データを一時的に記憶するメモリバッファである。信号処理回路１２から出力された再生データは、再生順に一旦バッファ１３に保持される。すなわちバッファ１３には、光ピックアップ１０によって読み取られたデータに基づく再生データが再生順に記憶される。
【００２２】
本実施形態では、バッファ１３は、データの再生の開始時における、データの一時記憶にも用いられる。バッファ１３は、少なくとも、光ディスク２のデータの読み取りが開始されてから、後述する制御パラメータの調整に要する時間以上の再生時間に相当する容量分の再生データを、保持可能である。
【００２３】
再生部１４は、ＤＡＣ（Digital to Analog Converter）や、スピーカ等（いずれも不図示）を備える。再生部１４は、バッファ１３から出力された再生データを、その再生順に再生する。
【００２４】
デジタルサーボプロセッサ（ＤＳＰ）２０は、バッファ１３に保持された再生データに誤りが含まれているか否かを検査する。バッファ１３に保持された再生データに誤りが検出されると、ＤＳＰ２０は、バッファ１３への再生データの書き込みを停止し、光ピックアップ１０の光ディスク２に対するデータの読み取り位置を、誤りが発生した再生データが記録された位置の手前に戻し、光ピックアップ１０に、その位置からのデータの読みとりを再開させる。
【００２５】
このデータの再読み取りにより、光ピックアップ１０→ＲＦ回路１１→信号処理回路１２を経た再生データが、バッファ１３に再び入力される。バッファ１３では、データの読み取りが再開された再生データの位置から、書き込みが再開される。このようなＤＳＰ２０の制御動作により、再生されるデータの欠損（いわゆる音飛び）が防止される。このような機能を、ＥＳＰ（Electrical Shock Proof）機能という。
【００２６】
図２（Ａ）〜図２（Ｃ）では、光ディスク２に記録されている再生データが、再生順に模式的に示されている。図２（Ａ）に示すように、データｄ１が再生される時点では、バッファ１３には、それより後に再生されるデータｄ２が格納され、その誤りが検査されている。時間ＥＲは、データｄ１の再生時点と、データｄ２の再生時点との時間差である。
【００２７】
データの再生が進み、図２（Ｂ）に示すように、データｄ３が再生される時点では、バッファ１３には、データｄ４が格納され、その誤りが検査される。ここで、データｄ４に誤りが検出されると、上述した動作が行われる。
【００２８】
この結果、図２（Ｃ）に示すように、データ再生が進み、データｄ５が再生される時点で、データｄ４の手前から、再読み取りにより、再生データがバッファ１３に書き込まれる。このようにして、ディスク再生装置１では、読み取られるデータに誤りが発生しても、再生されるデータの欠損（音飛び）が防止される。
【００２９】
また、光ディスク２に記録されたすべてのデータを光ピックアップ１０で読み取るため、ディスク再生装置１は、光ディスク２と光ピックアップ１０との相対位置の制御機能をさらに備えている。この制御は、ＤＳＰ２０によって実現される。
【００３０】
まず、ＤＳＰ２０は、光ディスク２の半径方向に関する光ピックアップ１０の位置を制御する。この制御のため、ディスク再生装置１は、送り機構２１と、スレッドモータドライバ２２と、をさらに備える。送り機構２１は、スレッドモータ（不図示）を有する。このスレッドモータの駆動により、光ピックアップ１０が、光ディスク２の半径方向に送られる。ＤＳＰ２０は、スレッドモータドライバ２２を介して、スレッドモータを駆動し、光ピックアップ１０をデータの読み取り位置に移動させる。
【００３１】
さらに、ＤＳＰ２０は、光ディスク２の半径方向に関する光ディスク２の回転位置を制御する。この制御のため、ディスク再生装置１は、スピンドルモータ２３と、スピンドルモータドライバ２４と、をさらに備える。スピンドルモータ２３は、光ディスク２がクランプされたスピンドル（不図示）を回転させる。ＤＳＰ２０は、スピンドルモータドライバ２４を介して、スピンドルモータ２３を回転させ、光ディスク２に記録されたデータを読み取るために、光ピックアップ１０をデータの読み取り位置に移動させる。
【００３２】
以上の制御により、いわゆるシーク動作若しくはサーチ動作と呼ばれる動作が可能となる。
【００３３】
さらに、ＤＳＰ２０は、トラッキング及びフォーカス制御を行う。この制御のため、ディスク再生装置１は、アクチュエータドライバ２５を、さらに備える。光ピックアップ１０の対物レンズは、光ピックアップ１０内のアクチュエータ（不図示）により、フォーカス方向とトラック方向とに微動可能となっている。
【００３４】
ＦＥ信号は、光ディスク２の記録面におけるビームスポットのフォーカスずれを示す信号であり、ＴＥ信号は、光ディスク２のトラックからのビームスポットのトラッキングずれを示す信号である。
【００３５】
ＤＳＰ２０は、ＲＦ回路１１から出力されたＦＥ信号及びＴＥ信号に基づいて、アクチュエータドライバ２５を介してアクチュエータを駆動する。この駆動により、対物レンズが駆動され、レーザ光のビームスポットが光ディスク２の記録面上で維持され、そのビームスポットが光ディスク２のトラックに追従する。
【００３６】
ディスク再生装置１には、その時々によって、様々な光ディスク２がロードされる。あるものは反射率が低かったり、面振れや偏心したものもある。また、光ディスク２自体に問題が無くても再生装置によってはクランプ状態で面振れや偏心成分を持ってしまうこともある。このように、様々な光ディスク２に対応するため、光ディスク２の挿入後、ＤＳＰ２０は、フォーカスやトラッキングのオフセット、バランス、サーボゲイン等の自動調整を行う。この自動調整により、フォーカスサーボゲイン、フォーカスバランス、フォーカスオフセット、トラッキングオフセット、トラッキングバランス、トラッキングサーボゲインなど、光ピックアップ１０によるデータの読み取り動作の制御に用いられる制御パラメータが、その最適値に調整される。
【００３７】
以上述べた構成により、ディスク再生装置１は、光ディスク２に記録されたデータの再生動作を行う。データ再生動作は、制御部３０の統括制御の下で、実現される。制御部３０は、不図示のＣＰＵ（Central Processing Unit）やＲＯＭ（Read Only Memory）やＲＡＭ（Random Access Memory）やタイマ等を備える。制御部３０は、例えばＲＯＭに格納された制御プログラムを、ＣＰＵが実行することにより、ディスク再生装置１全体を統括制御する。
【００３８】
ディスク再生装置１は、記憶部４０をさらに備える。記憶部４０には、上記各種制御パラメータの標準値が格納されている。これらの標準値は、様々な光ディスク２に対する制御パラメータの各々の最適値から予め統計的に求められた値である。これらの標準値を制御パラメータに設定すれば、光ディスク２に記録されたデータを、光ピックアップ１０で読み取ることができる可能性が最も高いといえる。
【００３９】
この他、ディスク再生装置１には、挿入された光ディスク２をスピンドルまでロードするロード機構やスピンドルに光ディスク２をクランプするクランプ機構（いずれも不図示）を備えている。これらの機構も、制御部３０によって制御される。
【００４０】
次に、本実施形態に係るディスク再生装置１の動作について説明する。図３には、光ディスク２がユーザによって挿入されてから、制御部３０が実行するプログラムが示されている。
【００４１】
図３に示すように、まず、制御部３０は、光ディスク２をロードする（ステップＳ１）。これにより、ユーザによって挿入された光ディスク２は、スピンドルにクランプされる。
【００４２】
続いて、制御部３０は、ディスク判別を行う（ステップＳ２）。より具体的には、制御部３０は、ＤＳＰ２０を介して、光ピックアップ１０より光ディスク２にレーザ光を照射させ、検出されるＦＥ信号のタイミング等に基づいて、判定する。
【００４３】
続いて、制御部３０は、初期設定を行う（ステップＳ３）。より具体的には、制御部３０は、記憶部４０に格納された各種制御パラメータの標準値を、ＤＳＰ２０に設定する。
【００４４】
続いて、制御部３０は、光ピックアップ１０によるデータ読み出しが可能であるか否かを判定する（ステップＳ４）。この判定は、光ピックアップ１０から出力された信号が、誤りなく検出できているか否かをＤＳＰ２０が検査することにより、実現される。
【００４５】
光ピックアップ１０によるデータ読み出しが不可であると判定された場合（ステップＳ４；Ｎｏ）、制御部３０は、ＤＳＰ２０に、制御パラメータを自動調整させる（ステップＳ１３）。この場合、図４（Ａ）に示すように、時刻ｔ０で、制御パラメータの自動調整が開始され、時刻ｔ０’で、制御パラメータの自動調整が終了する。なお、この自動調整に要する時間を、時間Ｔ１とする。
【００４６】
図３に戻り、続いて、制御部３０は、ＤＳＰ２０を介して、光ピックアップ１０に、光ディスク２に記録されたデータの読み出しを開始させる（ステップＳ１４）。より具体的には、制御部３０は、ＤＳＰ２０に、データの読み出し指示を送信する。ＤＳＰ２０は、この指示を受けて、光ピックアップ１０によるデータ読み出しを開始させる。これにより、光ディスク２に記録されたデータが、先頭から読み出され、バッファ１３にそれらのデータが記憶されていく。
【００４７】
図４（Ｂ）に示すように、時刻ｔ０’から、光ピックアップ１０によるデータの読み出しが開始されている。しかし、実際には、図４（Ａ）に示すように、ＤＳＰ２０による音飛び機能防止のための余裕時間ＥＲ（図２参照）により、再生部１４から実際に再生データが出力されるのは、時刻ｔ１’からとなる。
【００４８】
図３に戻り、ステップＳ１４終了後、制御部３０は、データの再生が終了するまで待つ（ステップＳ１２；Ｎｏ）。光ディスク２の再生対象である一連のデータの読み取りが完了すると（ステップＳ１２；Ｙｅｓ）、制御部３０は、処理を終了する。
【００４９】
一方、光ピックアップ１０によるデータ読み出しが可能であると判定された場合（ステップＳ４；Ｙｅｓ）、制御部３０は、ＤＳＰ２０を介して、光ピックアップ１０に、データ読み出しを開始させる（ステップＳ５）。ここでは、上記ステップＳ１４と同様に、光ディスク２に記録されたデータが、先頭から読み出され、バッファ１３にそれらのデータが記憶されていく。
【００５０】
続いて、制御部３０は、所定時間が経過するまで待つ（ステップＳ６）。本実施形態では、この所定時間を、時間Ｔ２とする。この時間Ｔ２は、図４（Ｃ）及び図４（Ｅ）に示すように、時間ＡＲと、時間ＳＲと、時間ＥＲとの和である。時間ＡＲは、制御パラメータの自動調整に要する時間Ｔ１に相当する時間分再生を継続するのに必要なデータを、光ピックアップ１０が読み出すのに必要な時間である。時間ＳＲは、後述するサーチに要する時間である。時間ＥＲは、前述のように、音飛び機能防止のための余裕時間である。
【００５１】
継続的な再生を可能とするために、ディスク再生装置１においては、光ピックアップ１０がデータを読み出す時間は、その時間に対応する再生時間よりも短くなっている。すなわち、時間ＡＲは、時間Ｔ１よりも短くなっている。
【００５２】
図３に戻り、時間Ｔ２が経過すると（ステップＳ６；Ｙｅｓ）、制御部３０は、再生部１４に、バッファ１３に記憶された再生データの再生を開始させる（ステップＳ７）。図４（Ｃ）に示すように、時刻ｔ１からデータの再生が開始されている。
【００５３】
図３に戻り、続いて、制御部３０は、ＤＳＰ２０を介して、光ピックアップ１０に、データの読み出しを中断させる（ステップＳ８）。図４（Ｄ）に示すように、時刻ｔ１において、データの読み出しが中断されている。
【００５４】
図３に戻り、さらに、制御部３０は、ＤＳＰ２０に制御パラメータの自動調整を行わせる（ステップＳ９）。時刻ｔ１において、バッファ１３には、自動調整に要する時間Ｔ１をしのぐ再生時間の再生データが記憶されている。このため、光ピックアップ１０が、制御パラメータの自動調整中にデータの読み出しを中断していても、図４（Ｃ）に示すように、データ再生をそのまま継続することができる。図４（Ｅ）では、自動調整は、時刻ｔ１から開始され、時間Ｔ１経過後の時刻ｔ２に終了する。
【００５５】
図３に戻り、自動調整が終了すると、制御部３０は、サーチを行う（ステップＳ１０）。より具体的には、制御部３０は、ＤＳＰ２０にサーチの指示を出力する。ＤＳＰ２０は、自動調整開始前に読み出しを行った最後のデータ読み取り位置に、光ピックアップ１０のデータ読み取り位置を合致させる。図４（Ｄ）では、サーチは、時刻ｔ２に開始され、時刻ｔ３に終了している。時刻ｔ１において、バッファ１３には、自動調整に要する時間Ｔ１と、サーチに要する時間Ｔ３との和以上の時間の連続再生を可能とする容量の再生データが記憶されている。このため、光ピックアップ１０が、制御パラメータの自動調整の開始から、サーチが終了するまで、データの読み出しを中断していても、図４（Ｃ）に示すように、データ再生をそのまま継続することができる。
【００５６】
図３に戻り、サーチが終了すると、制御部３０は、ＤＳＰ２０を介して、光ピックアップ１０に、データの読み出しを再開させる（ステップＳ１１）。より具体的には、ＤＳＰ２０に、データ読み出しの再開指示を送信する。ＤＳＰ２０は、この指示を受けて、光ピックアップ１０によるデータ読み出しを再開させる。これにより、光ディスク２では、読み出しが中断した位置からデータの読み出しが再開され、バッファ１３にそれらのデータが記憶されていく。
【００５７】
なお、図４（Ｄ）に示すように、このデータの読み出し再開の時刻ｔ３では、バッファ１３に、図４（Ｃ）の時間ＥＲ分のデータが保持されている。このため、データ再生後のＤＳＰ２０における音飛び防止も、継続的に可能である。
【００５８】
図３に戻り、ステップＳ１１終了後、制御部３０は、データの再生が終了するまで待つ（ステップＳ１２；Ｎｏ）。終了コードが検出され、光ディスク２の再生対象である一連のデータの読み取りが完了すると（ステップＳ１２；Ｙｅｓ）、制御部３０は、処理を終了する。
【００５９】
以上詳細に説明したように、本実施形態に係るディスク再生装置１では、光ピックアップ１０のデータの読み取りにより、制御パラメータの調整に要する時間Ｔ１以上の再生時間に相当する容量の再生データがバッファ１３に書き込まれた後、制御パラメータの自動調整が行われる。これにより、制御パラメータの自動調整前に、データの再生を開始できるので、光ディスク２がロードされてからデータを再生するまでの時間を短縮することができる。具体的には、図４（Ａ）〜図４（Ｅ）に示すように、データが再生される時刻が、時刻ｔ１’から時刻ｔ１となった。
【００６０】
また、本実施形態に係るディスク再生装置１では、制御パラメータの標準値（統計的に見て予め求められた値）を用いて、光ディスク２からのデータの読み出しを試行する。この読み出しに成功すれば、データの再生開始後に、制御パラメータの自動調整が行われ、失敗すれば、制御パラメータを自動調整した後に、データの再生が開始される。このようにすれば、光ディスク２の面振れや偏りが大きすぎ、標準値では、データの読み出しができず、制御パラメータの自動調整を行う必要が生じた場合にも、対応することができる。
【００６１】
また、本実施形態に係るディスク再生装置１では、光ディスク２からのデータの読み出しを中断し、制御パラメータの自動調整を行った後、再び、光ディスク２からのデータの読み出しを再開する場合に、ＤＳＰ２０の制御により、読み取りを中断した光ディスク２上の位置のサーチが行われる。このため、最初のデータ読み出し時間Ｔ２は、サーチ時間Ｔ３を考慮した時間となる。より具体的には、最初のデータの読み出し時間Ｔ２を、光ピックアップ１０が読み出すのに必要な時間ＡＲと、後述するサーチに要する時間Ｔ３の再生に必要な容量のデータを読み出すための時間ＳＲとの和以上としている。
【００６２】
また、本実施形態に係るディスク再生装置１では、ＤＳＰ２０が、バッファ１３に書き込まれる再生データの誤りを検出する。誤りが検出されると、ＤＳＰ２０は、その誤りが検出された再生データのメモリバッファへの再書き込みを行うことにより、データのいわゆる音飛びを防止する。このため、本実施形態では、最初のデータの読み出し時間Ｔ２を、誤り検出部によって再生データの誤りが検出されてから、メモリバッファに再書き込みがなされた再生データが再生されるまでの時間を考慮した時間とする。より具体的には、最初のデータの読み出し時間Ｔ２を、光ピックアップ１０が読み出すのに必要な時間ＡＲと、サーチに要する時間Ｔ３の再生に必要な容量のデータを読み出すための時間ＳＲと、音飛び防止のための余裕時間ＥＲの和としている。
【００６３】
なお、時間Ｔ２を、時間ＡＲと、時間ＳＲと、時間ＥＲの和以上としてもよい。また、サーチが必要でない場合には、時間Ｔ２を時間ＡＲと時間ＥＲとの和以上とすればよい。同様に、ＥＳＰ機能を実行しない場合には、時間Ｔ２を、時間ＡＲと時間ＳＲとの和以上とすればよい。サーチが必要でなく、ＥＳＰ機能も実行しない場合には、時間Ｔ２を時間ＡＲ以上とすればよい。
【００６４】
なお、上記実施形態では、制御パラメータの調整に要する時間以上の再生時間に相当する容量の再生データがバッファ１３に書き込まれてから、データ再生を開始したが、データ再生をもっと早いタイミングで開始するようにしてもよい。光ピックアップ１０のデータの読み取り速度は、一般に、再生部１４の再生速度より早いので、データ再生をもっと早いタイミングで開始しても、バッファ１３内のデータ容量は増加し、結果的に、制御パラメータの調整に要する時間以上の再生時間に相当する容量まで到達するからである。
【００６５】
ところで、時間Ｔ２は、光ディスク２に記録されるデータの圧縮率によって変更することができる。より具体的には、データの圧縮率が高くなればなるほど、時間Ｔ２を短く設定して、データの再生が開始される時間を短縮することができる。
【００６６】
例えば、リニアＰＣＭ形式のＣＤ−ＤＡを再生する場合に対し、圧縮オーディオ方式の光ディスクを再生する場合には、自動調整に要する時間Ｔ１に対して、時間Ｔ２を短くすることができる。これにより、光ディスクが挿入されてから、データを再生する時間や、制御パラメータの自動調整を開始するまでの時間を極力短くすることができる。圧縮オーディオ形式の光ディスクは、ユーザが独自に作成していることが多く、ディスク記録品質にばらつきが多いと予想される。このような場合には、データの再生状態をできるだけ早く安定させるため、制御パラメータの自動調整の開始タイミングを、オーディオフォーマットに応じて可変とするのがより望ましい。
【００６７】
制御部３０によって実行されるプログラムは、フレキシブルディスク、ＣＤ−ＲＯＭ（Compact Disc Read-Only Memory）、ＤＶＤ（Digital Versatile Disc）、ＭＯ（Magneto Optical disc）などのコンピュータ読み取り可能な記録媒体に格納して配布され、インストールされるようになっていてもよい。また、インターネット等を介して、プログラムをダウンロードし、インストールされるようになっていてもよい。
【符号の説明】
【００６８】
１  ディスク再生装置
２  光ディスク
１０  光ピックアップ
１１  ＲＦ回路
１２  信号処理回路
１３  バッファ
１４  再生部
２０  ＤＳＰ（デジタルサーボプロセッサ）
２１  送り機構
２２  スレッドモータドライバ
２３  スピンドルモータ
２４  スピンドルモータドライバ
２５  アクチュエータドライバ
３０  制御部
４０  記憶部
【図１】
2011008835.tif 000003
【図２】
2011008835.tif 000004
【図３】
2011008835.tif 000005
【図４】
2011008835.tif 000006